(57)【要約】  【課題】ＩＰ交換機を３重以上に多重化する場合に好適な技術を提供する。  【解決手段】複数のＩＰ交換機１のそれぞれに優先順位を付与する。そして、稼働中のＩＰ交換機１の中で最も高い優先順位を持つＩＰ交換機１が運用系で稼動し、その他のＩＰ交換機１が待機系で稼動するように、各ＩＰ交換機１が自律的に動作モードを切り替える。また、ＩＰ端末２が、稼働中のＩＰ交換機１の中で最も高い優先順位を持つＩＰ交換機１にログインし、このＩＰ交換機１からＩＰ電話交換サービスを受ける。【選択図】図１
2008236404.tif 000002
【特許請求の範囲】
【請求項１】
ＩＰネットワークを介して相互接続された、運用系および待機系のいずれかの動作モードで稼動する複数のＩＰ交換機と、いずれかの前記ＩＰ交換機にログインして、当該ＩＰ交換機からＩＰ電話交換サービスを受ける少なくとも一台のＩＰ端末と、を有するＩＰ電話システムであって、
前記ＩＰ交換機は、
他の前記ＩＰ交換機に、自ＩＰ交換機の動作モードを通知する動作モード通知手段と、
他の前記ＩＰ交換機からの前記動作モードの通知の有無に基づいて、当該他の前記ＩＰ交換機の稼動状態を判断する稼動状態判断手段と、
前記稼動状態判断手段により運用系で稼働中と判断された他の前記ＩＰ交換機が存在せず、且つ前記稼動状態判断手段により待機系で稼働中と判断された全ての他の前記ＩＰ交換機の優先順位が自ＩＰ交換機の優先順位より低い場合において、自ＩＰ交換機の動作モードが待機系ならば、動作モードを待機系から運用系に切り替える運用系切替手段と、
前記稼動状態判断手段により待機系で稼働中と判断された他の前記ＩＰ交換機の中に、自交換機の優先順位よりも高い優先順位を持つ前記ＩＰ交換機が存在する場合において、自ＩＰ交換機の動作モードが運用系ならば、動作モードを運用系から待機系に切り替える待機系切替手段と、を有する
ことを特徴とするＩＰ電話システム。
【請求項２】
請求項１に記載のＩＰ電話システムであって、
前記ＩＰ交換機は、
前記ＩＰ端末からの稼動状態の問合せに応答する問合せ応答手段をさらに有し、
前記ＩＰ端末は、
ログイン先の候補となる前記ＩＰ交換機のアドレス情報を、当該ＩＰ交換機に付与された優先順位と共に記憶するログイン先候補記憶手段と、
前記ログイン先候補記憶手段に記憶されている、ログイン中の前記ＩＰ交換機よりも高い優先順位を持つログイン先候補に、前記稼動状態の問合せを通知する問合せ通知手段と、
前記稼動状態の問合せに対する応答を受信した場合に、ログイン中の前記ＩＰ交換機からログアウトし、前記応答の送信元のログイン先候補の中で最も高い優先順位を持つ前記ＩＰ交換機にログインし、
当該ログイン中の前記ＩＰ交換機に障害が発生した場合に、当該ＩＰ交換機からログアウトし、前記ログイン先候補記憶手段に記憶されている、当該ログアウトした前記ＩＰ交換機より優先順位が一つ低い前記ＩＰ交換機にログインするログイン手段と、を有する
ことを特徴とするＩＰ電話システム。
【請求項３】
請求項２に記載のＩＰ電話システムであって、
前記ＩＰ端末は、
ログイン中の前記ＩＰ交換機の情報を表示すると共に、ログアウト中はＩＰ交換サービスを受けられない旨のメッセージを表示する表示手段をさらに有する
ことを特徴とするＩＰ電話システム。
【請求項４】
請求項３に記載のＩＰ電話システムであって、
前記表示手段は、
ログイン中の前記ＩＰ交換機に障害が発生した場合に、当該ＩＰ交換機に障害が発生した旨のメッセージを表示する
ことを特徴とするＩＰ電話システム。
【請求項５】
請求項１乃至４のいずれか一項に記載のＩＰ電話システムであって、
前記ＩＰ交換機は、
稼動状態の管理対象となる他の前記ＩＰ交換機のアドレス情報を、当該他の前記ＩＰ交換機に付与された優先順位と共に記憶する管理対象記憶手段をさらに有し、
前記稼動状態判断手段は、
前記管理対象記憶手段にアドレス情報が記憶されている他の前記ＩＰ交換機からの前記動作モードの通知の有無に基づいて、当該他の前記ＩＰ交換機の稼動状態を判断する
ことを特徴とするＩＰ電話システム。
【請求項６】
運用系および待機系のいずれかの動作モードで稼動するＩＰ交換機であって、
他の前記ＩＰ交換機に、自ＩＰ交換機の動作モードを通知する動作モード通知手段と、
他の前記ＩＰ交換機からの前記動作モードの通知の有無に基づいて、当該他の前記ＩＰ交換機の稼動状態を判断する稼動状態判断手段と、
前記稼動状態判断手段により運用系で稼働中と判断された他の前記ＩＰ交換機が存在せず、且つ前記稼動状態判断手段により待機系で稼働中と判断された全ての他の前記ＩＰ交換機の優先順位が自ＩＰ交換機の優先順位より低い場合において、自ＩＰ交換機の動作モードが待機系ならば、動作モードを待機系から運用系に切り替える運用系切替手段と、
前記稼動状態判断手段により待機系で稼働中と判断された他の前記ＩＰ交換機の中に、自交換機の優先順位よりも高い優先順位を持つ前記ＩＰ交換機が存在する場合において、自ＩＰ交換機の動作モードが運用系ならば、動作モードを運用系から待機系に切り替える待機系切替手段と、を有する
ことを特徴とするＩＰ交換機。
【請求項７】
ＩＰ交換機にログインしてＩＰ電話交換サービスを受けるＩＰ端末であって、
ログイン先の候補となる前記ＩＰ交換機のアドレス情報を、当該ＩＰ交換機に付与された優先順位と共に記憶するログイン先候補記憶手段と、
前記ログイン先候補記憶手段に記憶されている、ログイン中の前記ＩＰ交換機よりも高い優先順位を持つログイン先候補に稼動状態の問合せを通知する問合せ通知手段と、
前記稼動状態の問合せに対する応答を受信した場合に、ログイン中の前記ＩＰ交換機からログアウトし、前記応答の送信元のログイン先候補の中で最も高い優先順位を持つ前記ＩＰ交換機にログインし、
当該ログイン中の前記ＩＰ交換機に障害が発生した場合に、当該ＩＰ交換機からログアウトし、前記ログイン先候補記憶手段に記憶されている、当該ログアウトした前記ＩＰ交換機より優先順位が一つ低い前記ＩＰ交換機にログインするログイン手段と、を有する
ことを特徴とするＩＰ端末。
【請求項８】
ＩＰネットワークを介して相互接続された、運用系および待機系のいずれかの動作モードで稼動する複数のＩＰ交換機に接続され、いずれかの前記ＩＰ交換機にログインして、当該ＩＰ交換機からＩＰ電話交換サービスを受けるＩＰ端末であって、
ログイン先の前記ＩＰ交換機に対して稼動状態の問合せを通知する問合せ通知手段と、
前記稼動状態の問合せに対する応答の受信または当該応答の未受信に応じて、前記ＩＰネットワークの状態を表示する表示手段と、
ログイン先の前記ＩＰ交換機から前記応答を受信しない場合、他のＩＰ交換機にログインを行うログイン手段と、
を備えたことを特徴とするＩＰ端末。
【請求項９】
運用系および待機系のいずれかの動作モードで稼動するＩＰ交換機のバックアップ方法であって、
ＩＰネットワークを介して相互接続された複数のＩＰ交換機各々が、
他の前記ＩＰ交換機に、自ＩＰ交換機の動作モードを通知すると共に、他の前記ＩＰ交換機からの前記動作モードの通知の有無に基づいて、当該他の前記ＩＰ交換機の稼動状態を判断し、
運用系で稼働中と判断された他の前記ＩＰ交換機が存在せず、且つ待機系で稼働中と判断された全ての他の前記ＩＰ交換機の優先順位が自ＩＰ交換機の優先順位より低い場合に、自ＩＰ交換機の動作モードが待機系ならば、動作モードを待機系から運用系に切り替え、
待機系で稼働中と判断された他の前記ＩＰ交換機の中に、自交換機の優先順位よりも高い優先順位を持つ前記ＩＰ交換機が存在する場合に、自ＩＰ交換機の動作モードが運用系ならば、動作モードを運用系から待機系に切り替える
ことを特徴とするＩＰ交換機のバックアップ方法。
【請求項１０】
複数のＩＰ交換機のいずれかにログインしてＩＰ電話交換サービスを受けるＩＰ端末のログイン方法であって、
ログイン先の候補となる前記ＩＰ交換機のうち、ログイン中の前記ＩＰ交換機よりも高い優先順位を持つログイン先候補に稼動状態の問合せを通知し、
前記稼動状態の問合せに対する応答を受信した場合に、ログイン中の前記ＩＰ交換機からログアウトし、前記応答の送信元のログイン先候補の中で最も高い優先順位を持つ前記ＩＰ交換機にログインし、
ログイン中の前記ＩＰ交換機に障害が発生した場合に、当該ＩＰ交換機からログアウトし、当該ログアウトした前記ＩＰ交換機より優先順位が一つ低いログイン先候補の前記ＩＰ交換機にログインする
ことを特徴とするＩＰ端末のログイン方法。
【発明の詳細な説明】
【技術分野】
【０００１】
本発明は、複数のＩＰ交換機および少なくとも一台のＩＰ端末を有するＩＰ電話システムに関し、特にＩＰ電話システムの冗長技術に関する。
【背景技術】
【０００２】
特許文献１には、ＩＰ交換機や回線に障害が発生しても、拠点内をバックアップしてＩＰ端末の動作を継続して運用し、例えば拠点内の内線通話を可能にするＩＰ電話システムが開示されている。このシステムでは、ＩＰ交換機または回線に故障が発生した場合に、バックアップ交換機が待機系から運用系に切り替わると共に、各拠点内のＩＰ端末がＩＰ交換機からログアウトし、それぞれ自拠点内のバックアップ交換機にログインする。
【０００３】
【特許文献１】特開２００６−２５４０９６号公報
【発明の開示】
【発明が解決しようとする課題】
【０００４】
上述したように、特許文献１に記載のＩＰ電話システムは、拠点毎にＩＰ交換機をバックアップするバックアップＩＰ交換機を配置することで、ＩＰ交換機を２重化している。しかし、ＩＰ交換機を３重以上に多重化する場合を考慮していない。
【０００５】
本発明は、上記事情に鑑みてなされたものであり、本発明の目的は、ＩＰ交換機を３重以上に多重化する場合に好適な技術を提供することにある。
【課題を解決するための手段】
【０００６】
上記課題を解決するために、本発明では、複数のＩＰ交換機のそれぞれに優先順位を付与する。そして、稼働中のＩＰ交換機の中で最も高い優先順位を持つＩＰ交換機が運用系で稼動し、その他のＩＰ交換機が待機系で稼動するように、各ＩＰ交換機が自律的に動作モードを切り替える。また、ＩＰ端末が、稼働中のＩＰ交換機の中で最も高い優先順位を持つＩＰ交換機にログインし、このＩＰ交換機からＩＰ電話交換サービスを受ける。
【０００７】
例えば、本発明は、ＩＰネットワークを介して相互接続された、運用系および待機系のいずれかの動作モードで稼動する複数のＩＰ交換機と、いずれかの前記ＩＰ交換機にログインして、当該ＩＰ交換機からＩＰ電話交換サービスを受ける少なくとも一台のＩＰ端末と、を有するＩＰ電話システムであって、
前記ＩＰ交換機は、
他の前記ＩＰ交換機に、自ＩＰ交換機の動作モードを通知する動作モード通知手段と、
他の前記ＩＰ交換機からの前記動作モードの通知の有無に基づいて、当該他の前記ＩＰ交換機の稼動状態を判断する稼動状態判断手段と、
前記稼動状態判断手段により運用系で稼働中と判断された他の前記ＩＰ交換機が存在せず、且つ前記稼動状態判断手段により待機系で稼働中と判断された全ての他の前記ＩＰ交換機の優先順位が自ＩＰ交換機の優先順位より低い場合において、自ＩＰ交換機の動作モードが待機系ならば、動作モードを待機系から運用系に切り替える運用系切替手段と、
前記稼動状態判断手段により待機系で稼働中と判断された他の前記ＩＰ交換機の中に、自交換機の優先順位よりも高い優先順位を持つ前記ＩＰ交換機が存在する場合において、自ＩＰ交換機の動作モードが運用系ならば、動作モードを運用系から待機系に切り替える待機系切替手段と、を有する。
【０００８】
ここで、前記ＩＰ交換機は、
前記ＩＰ端末からの稼動状態の問合せに応答する問合せ応答手段をさらに有するものでもよい。
【０００９】
また、前記ＩＰ端末は、
ログイン先の候補となる前記ＩＰ交換機のアドレス情報を、当該ＩＰ交換機に付与された優先順位と共に記憶するログイン先候補記憶手段と、
前記ログイン先候補記憶手段に記憶されている、ログイン中の前記ＩＰ交換機よりも高い優先順位を持つログイン先候補に、前記稼動状態の問合せを通知する問合せ通知手段と、
前記稼動状態の問合せに対する応答を受信した場合に、ログイン中の前記ＩＰ交換機からログアウトし、前記応答の送信元のログイン先候補の中で最も高い優先順位を持つ前記ＩＰ交換機にログインし、
当該ログイン中の前記ＩＰ交換機に障害が発生した場合に、当該ＩＰ交換機からログアウトし、前記ログイン先候補記憶手段に記憶されている、当該ログアウトした前記ＩＰ交換機より優先順位が一つ低い前記ＩＰ交換機にログインするログイン手段と、を有するものでもよい。
【発明の効果】
【００１０】
本発明によれば、ＩＰ交換機を３重以上に多重化する場合でも、各ＩＰ交換機の動作モードの切り替えを適切に行うことができる。また、各ＩＰ交換機の動作モードの切り替えに追従してＩＰ端末のログイン先を変更できる。このため、ＩＰ交換機を３重以上に多重化する場合に好適な技術を提供することができる。
【発明を実施するための最良の形態】
【００１１】
以下、本発明の実施の形態を説明する。
【００１２】
図１は、本発明の一実施の形態が適用されたＩＰ電話システムの概略図である。
【００１３】
図示するように、本実施の形態のＩＰ電話システムは、ＩＰネットワーク３を介して相互接続された複数のＩＰ交換機１および少なくとも一台のＩＰ端末２を有する。それぞれのＩＰ交換機１には優先順位が付与されており、稼働中のＩＰ交換機１の中で最も高い優先順位を持つＩＰ交換機１が運用系で稼動し、その他のＩＰ交換機１が待機系で稼動するように、各ＩＰ交換機１が自律的に動作モードを切り替える。また、ＩＰ端末２が、稼働中のＩＰ交換機１の中で最も高い優先順位を持つＩＰ交換機１にログインし、このＩＰ交換機１からＩＰ電話交換サービスを受ける。
【００１４】
図２は、ＩＰ交換機１の概略構成図である。
【００１５】
図示するように、ＩＰ交換機１は、ＩＰネットワークＩＦ部１０と、通話路スイッチ部１１と、記憶部１２と、主制御部１３と、を有する。
【００１６】
ＩＰネットワークＩＦ部１０は、ＩＰネットワーク３と接続するためのインターフェースである。
【００１７】
通話路スイッチ部１１は、主制御部１３の制御により、ＩＰネットワークＩＦ部１０を介して、自ＩＰ交換機１にログインしているＩＰ端末２にＩＰ電話交換サービスを提供する。
【００１８】
記憶部１２には、主制御部１３での処理に必要な情報が記憶されている。図示するように、記憶部１２は、局データ記憶部１２１と、管理対象記憶部１２２と、を有する。
【００１９】
局データ記憶部１２１には、自ＩＰ交換機１が提供するＩＰ電話交換サービスを受けることができるＩＰ端末２各々の電話番号、ＩＰアドレス、およびログイン情報を含む局データが記憶されている。
【００２０】
管理対象記憶部１２２には、自ＩＰ交換機１以外のＩＰ交換機１のうち、稼動状態の管理対象となるＩＰ交換機１の情報が記憶されている。図３は、管理対象記憶部１２２の登録内容を模式的に表した図である。
【００２１】
図示するように、管理対象記憶部１２２には、稼動状態の管理対象となるＩＰ交換機１毎にレコード１２２０が登録されている。レコード１２２０は、ＩＰ交換機１の識別情報である交換機ＩＤを登録するフィールド１２２１と、ＩＰ交換機１のアドレス情報を登録するフィールド１２２２と、ＩＰ交換機１に付与された優先順位を登録するフィールド１２２３と、ＩＰ交換機１の動作モード（運用系、待機系、停止中）を登録するフィールド１２２４と、ＩＰ交換機１より受信した動作モード通知の最新の受信時刻を登録するフィールド１２２５と、を有する。
【００２２】
図２に戻って説明を続ける。主制御部１３は、自ＩＰ交換機１の各部１０〜１２を統括的に制御する。例えば、主制御部１３は、ＩＰネットワークＩＦ部１０、および通話路スイッチ部１１を介して、ＩＰ端末２からログイン要求を受信し、局データ記憶部１２１に記憶されている局データを用いてこのログイン要求を処理する（ログイン処理）。
【００２３】
また、主制御部１３は、ＩＰネットワークＩＦ部１０、および通話路スイッチ部１１と連携して、自ＩＰ交換機１にログインしているＩＰ端末２にＩＰ電話交換サービスを提供する（ＩＰ電話交換サービス処理）。
【００２４】
また、主制御部１３は、図示するように、動作モード通知部１３１、稼動状態判断部１３２、運用系切替部１３３、待機系切替部１３４、問合せ応答部１３５、およびライフチェック処理部１３６を有し、これらの各部１３１〜１３６を用いて、自ＩＰ交換機１の動作モードを運用系および待機系のいずれかに切り替える（動作モード切替処理）。なお、上述のログイン処理、およびＩＰ電話交換サービス処理は、自ＩＰ交換機１の動作モードが運用系のときに実施され、待機系のときは実施されない。
【００２５】
図４は、ＩＰ交換機１の動作モード切替処理を説明するためのフロー図である。
【００２６】
動作モード通知部１３１は、例えば所定のインターバルで到来する動作モード通知タイミングになると（Ｓ１０１でＹＥＳ）、自ＩＰ交換機１の現在の動作モードを含む動作モード通知を生成する。そして、この動作モード通知を、通話路スイッチ部１１およびＩＰネットワークＩＦ部１０を介して、管理対象記憶部１２２にアドレス情報が記憶されている管理対象のＩＰ交換機１のそれぞれに送信する（Ｓ１０２）。
【００２７】
また、ライフチェック処理部１３６は、例えば所定のインターバルで到来するライフチェックタイミングになると（Ｓ１０３でＹＥＳ）、ログイン中の各ＩＰ端末２に対してライフチェック処理を行う（Ｓ１０４）。具体的には、ログイン中の各ＩＰ端末２に対して、通話路スイッチ部１１およびＩＰネットワークＩＦ部１０を介して、ライフチェック通知を送信し、所定のタイムアウト時間が経過するまでライフチェック通知に対する応答を待つ。そして、ライフチェック通知に対する応答を所定のタイムアウト時間内に送信しなかったＩＰ端末２をログアウト処理する。
【００２８】
また、問合せ応答部１３５は、ＩＰネットワークＩＦ部１０および通話路スイッチ部１１を介して、ＩＰ端末２から稼動状態の問合せを受信すると（Ｓ１０５でＹＥＳ）、このＩＰ端末２に、問合せに対する応答を返信する（Ｓ１０６）。
【００２９】
また、稼動状態判断部１３２は、ＩＰネットワークＩＦ部１０および通話路スイッチ部１１を介して、他のＩＰ交換機１から動作モード通知を受信すると（１０７でＹＥＳ）、管理対象記憶部１２２の更新処理を行う（Ｓ１０８）。具体的には、動作モード通知の送信元であるＩＰ交換機１の交換機ＩＤ、あるいはアドレス情報をキーにして、管理対象記憶部１２２からレコード１２２０を検索する。そして、検索したレコード１２２０のフィールド１２２４に登録されている動作モードを、この動作モード通知に記述されている動作モードに更新する。また、このレコード１２２０のフィールド１２２５に登録されている動作モード通知受信時刻を現在時刻に更新する。
【００３０】
また、稼動状態判断部１３２は、例えば所定のインターバルで到来する障害検出タイミングになると（Ｓ１０９でＹＥＳ）、管理対象のＩＰ交換機１の中から、障害等により停止中のＩＰ交換機１を検出する（Ｓ１１０）。具体的には、管理対象記憶部１２２に記憶されている各レコード１２２０に対して、フィールド１２２５に登録されている動作モード通知受信時刻と現在時刻とを比較し、このレコード１２２０が所定時間以内に更新されたか否かを判断する。所定時間以内に更新されていない場合は、このレコード１２２０に対応するＩＰ交換機１が障害等により停止中であると判断し、このレコード１２２０のフィールド１２２４に登録されている動作モードを「停止中」に更新する。
【００３１】
また、稼動状態判断部１３２は、例えば所定のインターバルで到来する切替制御タイミングになると（Ｓ１１１でＹＥＳ）、次の切替制御処理を行う（Ｓ１１２）。
【００３２】
図５は、図４に示す切替制御処理（Ｓ１１２）を説明するためのフロー図である。
【００３３】
先ず、主制御部１３は、自ＩＰ交換機１の動作モードをチェックする（Ｓ１１２１）。自ＩＰ交換機１の動作モードが「待機系」の場合は、Ｓ１１２２に進み、「運用系」の場合は、Ｓ１１２５に進む。
【００３４】
Ｓ１１２１において、運用系切替部１３３は、管理対象記憶部１２２を参照し、管理対象のＩＰ交換機１の中に、動作モード「運用系」のＩＰ交換機１が存在しているか否かを調べる。動作モード「運用系」のＩＰ交換機１が存在している場合は（Ｓ１１２２でＹＥＳ）、このフローを終了する。
【００３５】
一方、動作モード「運用系」のＩＰ交換機１が存在していない場合（Ｓ１１２２でＮＯ）、運用系切替部１３３は、管理対象のＩＰ交換機１の中に、自ＩＰ交換機１に付与されている優先順位より上位の優先順位を持つ動作モード「待機系」のＩＰ交換機１が存在しているか否かをさらに調べる（Ｓ１１２３）。自ＩＰ交換機１に付与されている優先順位より上位の優先順位を持つ動作モード「待機系」のＩＰ交換機１が存在している場合は（Ｓ１１２３でＹＥＳ）、このフローを終了する。
【００３６】
一方、自ＩＰ交換機１に付与されている優先順位より上位の優先順位を持つ動作モード「待機系」のＩＰ交換機１が存在していない場合（Ｓ１１２３でＮＯ）、運用系切替部１３３は、自ＩＰ交換機１の動作モードを「待機系」から「運用系」に切り替える（Ｓ１１２４）。その後、このフローを終了する。
【００３７】
また、Ｓ１１２５において、待機系切替部１３４は、管理対象のＩＰ交換機１の中に、自ＩＰ交換機１に付与されている優先順位より上位の優先順位を持つ動作モード「待機系」のＩＰ交換機１が存在しているか否かを調べる。自ＩＰ交換機１に付与されている優先順位より上位の優先順位を持つ動作モード「待機系」のＩＰ交換機１が存在していない場合は（Ｓ１１２５でＮＯ）、このフローを終了する。
【００３８】
一方、自ＩＰ交換機１に付与されている優先順位より上位の優先順位を持つ動作モード「待機系」のＩＰ交換機１が存在している場合（Ｓ１１２５でＹＥＳ）、待機系切替部１３４は、自ＩＰ交換機１の動作モードを「運用系」から「待機系」に切り替える（Ｓ１１２６）。その後、このフローを終了する。
【００３９】
次に、ＩＰ端末２について説明する。図６は、ＩＰ端末２の概略構成図である。
【００４０】
図示するように、ＩＰ端末２は、ＩＰネットワークＩＦ部２０と、呼制御部２１と、ダイヤルキー、ファンクションキー等の入力キーおよびＬＣＤ等の表示部を備えた操作パネル部２２と、マイクおよびスピーカを備えたハンドセット部２３と、音声処理部２４と、記憶部２５と、主制御部２６と、を有する。
【００４１】
ＩＰネットワークＩＦ部２０は、ＩＰネットワーク３と接続するためのインターフェースである。
【００４２】
呼制御部２１は、ＳＩＰ等の呼制御プロトコルに従い呼制御処理を行う。
【００４３】
音声処理部２４は、主制御部２６より受け取った音声パケットを処理して、ハンドセット部２３から音声を出力する。また、ハンドセット部２３に入力された音声を処理して音声パケット化し、主制御部２６に送る。
【００４４】
記憶部２５には、主制御部２６での処理に必要な情報が記憶されている。図示するように、記憶部２５は、ログイン先候補記憶部２５１を有する。
【００４５】
ログイン先候補記憶部２５１には、自ＩＰ端末２のログイン先候補となるＩＰ交換機１の情報が記憶されている。図７は、ログイン先候補記憶部２５１の登録内容を模式的に表した図である。
【００４６】
図示するように、ログイン先候補記憶部２５１には、ログイン先候補のＩＰ交換機１毎にレコード２５１０が登録されている。レコード２５１０は、ＩＰ交換機１の識別情報である交換機ＩＤを登録するフィールド２５１１と、ＩＰ交換機１のアドレス情報を登録するフィールド２５１２と、ＩＰ交換機１に付与された優先順位を登録するフィールド２５１３と、ＩＰ交換機１の稼動状態（停止中、稼動中、不明）を登録するフィールド２５１４と、ログイン先のＩＰ交換機１である場合にその旨を示すフラグが記憶されるフィールド２５１５と、ログイン先のＩＰ交換機１である場合に、このＩＰ交換機１から受信したライフチェック通知の最新の受信時刻を登録するフィールド２５１６と、を有する。
【００４７】
図６に戻って説明を続ける。主制御部２６は、自ＩＰ端末２の各部２０〜２５を統括的に制御する。具体的には、主制御部２６は、操作パネル部２２を介して操作者から着番号を伴う発信指示を受け付けると、この発信指示を呼制御部２１に渡す。これを受けて、呼制御部２１は、主制御部２１と連携し、ログイン中のＩＰ交換機１に対して発信処理を行い、着番号により特定される通話相手との間に音声経路を設定する。
【００４８】
また、主制御部２６は、ＩＰネットワークＩＦ部２０を介して、ログイン中のＩＰ交換機１から呼を受信すると、これを呼制御部２１に渡す。これを受けて呼制御部２１は、主制御部２６と連携して着信処理を行い、この呼の発信元との間に音声経路を設定する。
【００４９】
さらに、主制御部２６は、図示するように、障害検出部２６１、復旧検出部２６２、上位ログイン処理部２６３、下位ログイン処理部２６４、および表示処理部２６５を有し、これらの各部２６１〜２６５を用いて、ログイン先候補のＩＰ交換機１の状態に応じて、ログイン先のＩＰ交換機１を変更する（ログイン先変更処理）。
【００５０】
図８は、ＩＰ交換機１のログイン先変更処理を説明するためのフロー図である。
【００５１】
障害検出部２６１は、ＩＰネットワークＩＦ部２０を介して、ログイン先のＩＰ交換機１からライフチェック通知を受信すると（Ｓ２０１でＹＥＳ）、このライフチェック通知に対する応答を返信する。また、ログイン先候補記憶部２５１から、ログイン先のＩＰ交換機１のレコード２５１０（フィールド２５１２にライフチェック通知の送信元アドレスが登録され、且つフィールド２５１５にログイン先のＩＰ交換機１であることを示すフラグが登録されているレコード２５１０）を検索し、このレコード２５１０のフィールド２５１６に登録されているライフチェック受信時刻を現在時刻に更新する（Ｓ２０２）。
【００５２】
また、復旧検出部２６２は、例えば所定のインターバルで到来する稼動状態問合せタイミングになると（Ｓ２０３でＹＥＳ）、ログイン先候補記憶部２５１を参照し、ログイン先のＩＰ交換機１より高い優先順位を持つログイン先候補のレコード２５１０を検索する。そして、ログイン先のＩＰ交換機１より高い優先順位を持つログイン先候補のレコード２５１０を検索できた場合は、このレコード２５１０のフィールド２５１１に登録されている交換機ＩＤ、またはフィールド２５１２に登録されているアドレス情報により特定されるログイン先候補のＩＰ交換機１に、稼動状態の問合せを通知する（Ｓ２０４）。
【００５３】
また、復旧検出部２６２は、ＩＰネットワークＩＦ部２０を介して、ログイン先候補のＩＰ交換機１から稼動状態の問合せに対する応答を受信した場合（Ｓ２０５でＹＥＳ）、ログイン先候補記憶部２５１の更新処理を行う（Ｓ２０６）。具体的には、稼動状態の問合せに対する応答の送信元であるＩＰ交換機１の交換機ＩＤ、あるいはアドレス情報をキーにして、ログイン先候補記憶部２５１からレコード２５１０を検索する。そして、検索したレコード２５１０のフィールド２５１４に登録されている稼動状態を「稼動中」に更新する。
【００５４】
また、障害検出部２６１は、例えば所定のインターバルで到来する障害検出タイミングになると（Ｓ２０７でＹＥＳ）、ログイン先のＩＰ交換機１に障害が発生しているか否かを判断する（Ｓ２０８）。具体的には、管理対象記憶部１２２に記憶されているログイン先のレコード２５１０に対して、フィールド２５１６に登録されているライフチェック通知受信時刻と現在時刻とを比較して、ライフチェック通知を所定時間以内に受信しているか否かを判断する。所定時間以内に受信していない場合は、ログイン先のＩＰ交換機１に障害が発生しているものと判断し、このレコード２５１０のフィールド２５１４に登録されている稼動状態を「停止中」に更新する。また、表示処理部２６５は、ログイン先のＩＰ交換機１に障害が発生している旨のメッセージを操作パネル部２２に表示する。
【００５５】
また、主制御部２６は、例えば所定のインターバルで到来するログイン制御タイミングになると（Ｓ２０９でＹＥＳ）、次のログイン制御処理を行う（Ｓ２１０）。
【００５６】
図９は、図８に示すログイン制御処理（Ｓ２１０）を説明するためのフロー図である。
【００５７】
先ず、主制御部２６は、ログイン先候補記憶部２５１を参照し、ログイン先のＩＰ交換機１より上位の優先順位を持つ稼動中のＩＰ交換機１が存在するか否かを調べる（Ｓ２１０１）。具体的には、フィールド２５１５にログイン中であることを示すフラグが登録されているレコード２５１０を、ログイン先候補記憶部２５１から検索する。次に、検索したレコード２５１０のフィールド２５１３に登録されている優先順位を特定する。そして、この特定した優先順位より上位の優先順位がフィールド２５１３に登録され、且つフィールド２５１４に登録されている稼動状態が「稼動中」のレコード２５１０を、ログイン先候補記憶部２５１から検索する。
【００５８】
ログイン先のＩＰ交換機１より上位の優先順位を持つ稼動中のＩＰ交換機１が存在する場合（Ｓ２１０１でＹＥＳ）、上位ログイン処理部２６３は、ＩＰネットワークＩＦ部２０を介して、現在ログインしているＩＰ交換機１にログアウト要求を送信して、このＩＰ交換機１からログアウトする（Ｓ２１０２）。
【００５９】
次に、上位ログイン処理部２６３は、ログイン先候補記憶部２５１に記憶されている、ログイン先のＩＰ交換機１のレコード２５１０を更新する（Ｓ２１０３）。具体的には、フィールド２５１５にログイン中であることを示すフラグが登録されているレコード２５１０を、ログイン先候補記憶部２５１から検索する。次に、検索したレコード２５１０のフィールド２５１５に登録されているログイン中であることを示すフラグ、およびフィールド２５１６に登録されているライフチェック受信時刻を消去すると共に、フィールド２５１４に登録されている稼動状態を「不明」に更新する。また、表示処理部２６５は、それまでログインしていたＩＰ交換機１からログアウトした旨のメッセージを操作パネル部２２に表示する。
【００６０】
次に、上位ログイン処理部２６３は、最上位の優先順位を持つ稼動中のＩＰ交換機１にログインする（Ｓ２１０４）。具体的には、フィールド２５１４に稼動状態「稼動中」が登録されているレコード２５１０の中で、フィールド２５１３に登録されている優先順位が最も上位のレコード２５１０を、ログイン先候補記憶部２５１から検索する。そして、ＩＰネットワークＩＦ部２０を介して、検索したレコード２５１０のフィールド２５１１に登録されている交換機ＩＤ、あるいはフィールド２５１２に登録されているアドレス情報により特定されるＩＰ交換機１に、ログイン要求を送信し、このＩＰ交換機１にログインする。
【００６１】
次に、上位ログイン処理部２６３は、ログイン先候補記憶部２５１に記憶されている、ログイン先のＩＰ交換機１のレコード２５１０を更新する（Ｓ２１０５）。具体的には、フィールド２５１１にログイン先のＩＰ交換機１の交換機ＩＤが登録されているレコード２５１０、あるいはフィールド２５１２にログイン先のＩＰ交換機１のアドレス情報が登録されているレコード２５１０を、ログイン先候補記憶部２５１から検索する。次に、検索したレコード２５１０のフィールド２５１５にログイン中であることを示すフラグを登録する。また、表示処理部２６５は、ＩＰ交換機１にログインした旨のメッセージを操作パネル部２２に表示する。
【００６２】
一方、ログイン先のＩＰ交換機１より上位の優先順位を持つ稼動中のＩＰ交換機１が存在しない場合（Ｓ２１０１でＮＯ）、主制御部２６は、ログイン先候補記憶部２５１を参照し、ログイン先のＩＰ交換機１が稼動中であるか否かを調べる（Ｓ２１０６）。具体的には、フィールド２５１５にログイン中であることを示すフラグが登録されているレコード２５１０を、ログイン先候補記憶部２５１から検索する。そして、検索したレコード２５１０のフィールド２５１４に登録されている稼動状態が「稼動中」であるか否かを調べる。ログイン先のＩＰ交換機１が稼動中であれば場合（Ｓ２１０６でＹＥＳ）、このフローを終了する。
【００６３】
また、ログイン先のＩＰ交換機１が稼動中でない場合（Ｓ２１０６でＮＯ）、下位ログイン処理部２６４は、ＩＰネットワークＩＦ部２０を介して、現在ログインしているＩＰ交換機１にログアウト要求を送信して、このＩＰ交換機１からログアウトする（Ｓ２１０７）。
【００６４】
次に、下位ログイン処理部２６４は、ログイン先候補記憶部２５１に記憶されている、ログイン先のＩＰ交換機１のレコード２５１０を更新する（Ｓ２１０８）。具体的には、フィールド２５１５にログイン中であることを示すフラグが登録されているレコード２５１０を、ログイン先候補記憶部２５１から検索する。次に、検索したレコード２５１０のフィールド２５１５に登録されているログイン中であることを示すフラグ、およびフィールド２５１６に登録されているライフチェック受信時刻を消去すると共に、フィールド２５１４に登録されている稼動状態を「不明」に更新する。また、表示処理部２６５は、それまでログインしていたＩＰ交換機１からログアウトした旨のメッセージを操作パネル部２２に表示する。
【００６５】
次に、下位ログイン処理部２６４は、ログアウトしたＩＰ交換機１より一つ下位の優先順位を持つＩＰ交換機１にログインする（Ｓ２１０９）。具体的には、フィールド２５１４に稼動状態「不明」が登録されているレコード２５１０（但し、Ｓ２１０８で情報を更新した、直前にログアウトしたＩＰ交換機１のレコード２５１０を除く）の中で、フィールド２５１３に登録されている優先順位が最も上位のレコード２５１０を、ログイン先候補記憶部２５１から検索する。そして、ＩＰネットワークＩＦ部２０を介して、検索したレコード２５１０のフィールド２５１１に登録されている交換機ＩＤ、あるいはフィールド２５１２に登録されているアドレス情報により特定されるＩＰ交換機１に、ログイン要求を送信し、このＩＰ交換機１にログインする。なお、このＩＰ交換機１へのログインに失敗したときには、さらに一つ下位の優先順位をもつＩＰ交換機１にログインする。
【００６６】
ログインに成功したら、下位ログイン処理部２６４は、ログイン先候補記憶部２５１に記憶されている、ログイン先のＩＰ交換機１のレコード２５１０を更新する（Ｓ２１１０）。具体的には、フィールド２５１１にログイン先のＩＰ交換機１の交換機ＩＤが登録されているレコード２５１０、あるいはフィールド２５１２にログイン先のＩＰ交換機１のアドレス情報が登録されているレコード２５１０を、ログイン先候補記憶部２５１から検索する。次に、検索したレコード２５１０のフィールド２５１５にログイン中であることを示すフラグを登録すると共にフィールド２５１４に登録されている稼動状態を「稼働中」に更新する。また、表示処理部２６５は、ＩＰ交換機１にログインした旨のメッセージを操作パネル部２２に表示する。
【００６７】
次に、図１に示すＩＰ電話システムの動作例を説明する。
【００６８】
図１０は、図１に示すＩＰ電話システムを、比較的小規模な事業体に適用した場合の例を示している。この例では、本社、支社の各拠点にＩＰ端末２が配置され、これら全てのＩＰ端末２に対するＩＰ電話交換サービスを、２つのＩＰ交換機１（交換機ＩＤ「００１」、「００２」）で賄う場合を示している。
【００６９】
図示するように、交換機ＩＤ「００１」のＩＰ交換機１は、優先順位「１」であり、交換機ＩＤ「００２」のＩＰ交換機１の情報が、管理対象のＩＰ交換機１の情報として、管理対象記憶部１２２に登録されている。
【００７０】
また、交換機ＩＤ「００２」のＩＰ交換機１は、優先順位「２」であり、交換機ＩＤ「００１」のＩＰ交換機１の情報が、管理対象のＩＰ交換機１の情報として、管理対象記憶部１２２に登録されている。
【００７１】
また、本社、支社の各拠点に配置されたＩＰ端末２には、交換機ＩＤ「００１」のＩＰ交換機１の情報、および交換機ＩＤ「００２」のＩＰ交換機１の情報が、ログイン先候補のＩＰ交換機１の情報として、ログイン先候補記憶部２５１に登録されている。
【００７２】
図１１は、図１０に示す例において、交換機ＩＤ「００１」のＩＰ交換機１に障害が発生し、これによりＩＰ端末２のログイン先が交換機ＩＤ「００１」のＩＰ交換機１から交換機ＩＤ「００２」のＩＰ交換機１に変更される場合のシーケンスを示す図である。
【００７３】
交換機ＩＤ「００１」のＩＰ交換機１が「運用系」で稼働中であり（Ｓ４０１）、交換機ＩＤ「００２」のＩＰ交換機１が「待機系」で稼働中であり（Ｓ４０２）、ＩＰ端末２のログイン先が交換機ＩＤ「００１」のＩＰ交換機１であるとする（Ｓ４０３）。
【００７４】
この場合、ＩＰ端末２は、端末画面（操作パネル部２２）に、交換機ＩＤ「００１」のＩＰ交換機１にログインしていることを示すメッセージを表示する（Ｓ４０４）。
【００７５】
また、交換機ＩＤ「００１」のＩＰ交換機１は、交換機ＩＤ「００２」のＩＰ交換機１に、自身の動作モード「運用系」が記述された動作モード通知を定期的に送信する。同様に、交換機ＩＤ「００２」のＩＰ交換機１は、交換機ＩＤ「００１」のＩＰ交換機１に、自身の動作モード「待機系」が記述された動作モード通知を定期的に送信する（Ｓ４０５）。
【００７６】
また、交換機ＩＤ「００１」のＩＰ交換機１は、定期的に、自ＩＰ交換機１にログインしているＩＰ端末２にライフチェック通知を送信して、このＩＰ端末２からのライフチェック通知に対する応答を確認することにより、このＩＰ端末２のライフチェック処理を行う（Ｓ４０６）。
【００７７】
さて、交換機ＩＤ「００１」のＩＰ交換機１に障害が発生し、動作が停止したとする（Ｓ４０７）。この結果、交換機ＩＤ「００１」のＩＰ交換機１による動作モード通知が途絶え、交換機ＩＤ「００２」のＩＰ交換機１は、動作モード「運用系」のＩＰ交換機１の障害を検出する（Ｓ４０８）。そして、交換機ＩＤ「００２」のＩＰ交換機１は、自ＩＰ交換機１の動作モードを「待機系」から「運用系」に切り替える（Ｓ４０９）。
【００７８】
また、交換機ＩＤ「００１」のＩＰ交換機１によるライフチェック通知が途絶え、ＩＰ端末２は、ログイン先のＩＰ交換機１の障害を検出する（Ｓ４１０）。そして、ＩＰ端末２の端末画面に、ログイン先のＩＰ交換機１に障害が発生していることを示すメッセージを表示する（Ｓ４１１）。
【００７９】
次に、ＩＰ端末２は、ログイン先のＩＰ交換機１（交換機ＩＤ「００１」）からログアウトし（Ｓ４１２）、交換機ＩＤ「００２」のＩＰ交換機１にログインする（Ｓ４１４）。これにより、ログイン先が交換機ＩＤ「００１」のＩＰ交換機１から交換機ＩＤ「００２」のＩＰ交換機１に変更される（Ｓ４１５）。
【００８０】
なお、ＩＰ端末２は、交換機ＩＤ「００１」のＩＰ交換機１からログアウトした後、交換機ＩＤ「００２」のＩＰ交換機１にログインするまでの間、ＩＰ電話交換サービスを受けられない旨のメッセージを端末画面に表示する（Ｓ４１３）。そして、交換機ＩＤ「００２」のＩＰ交換機１にログインしたならば、交換機ＩＤ「００２」のＩＰ交換機１にログインしていることを示すメッセージを表示する（Ｓ４１６）。
【００８１】
その後、交換機ＩＤ「００２」のＩＰ交換機１は、定期的に、自ＩＰ交換機１にログインしているＩＰ端末２にライフチェック通知を送信して、このＩＰ端末２からのライフチェック通知に対する応答を確認することにより、このＩＰ端末２のライフチェック処理を行う（Ｓ４１７）。
【００８２】
また、ＩＰ端末２は、定期的に、交換機ＩＤ「００１」のＩＰ交換機１に稼動状態問合せを送信し、その応答を確認することで、交換機ＩＤ「００１」のＩＰ交換機１が復旧したか否かを調べる（Ｓ４１８）。
【００８３】
図１２は、図１０に示す例において、交換機ＩＤ「００１」のＩＰ交換機１が障害から復旧し、これによりＩＰ端末２のログイン先が交換機ＩＤ「００２」のＩＰ交換機１から交換機ＩＤ「００１」のＩＰ交換機１に変更される場合のシーケンスを示す図である。
【００８４】
交換機ＩＤ「００１」のＩＰ交換機１が停止中であり（Ｓ４２１）、交換機ＩＤ「００２」のＩＰ交換機１が「運用系」で稼働中であり（Ｓ４２２）、ＩＰ端末２のログイン先が交換機ＩＤ「００２」のＩＰ交換機１であるとする（Ｓ４２３）。
【００８５】
この場合、ＩＰ端末２は、端末画面（操作パネル部２２）に、交換機ＩＤ「００２」のＩＰ交換機１にログインしていることを示すメッセージを表示する（Ｓ４２４）。
【００８６】
ここで、交換機ＩＤ「００１」のＩＰ交換機１が障害から復旧し、「待機系」で動作を再開したとする（Ｓ４２５）。交換機ＩＤ「００２」のＩＰ交換機１は、交換機ＩＤ「００１」のＩＰ交換機１に、自身の動作モード「運用系」が記述された動作モード通知を定期的に送信しているが、これに加えて交換機ＩＤ「００１」のＩＰ交換機１も、交換機ＩＤ「００２」のＩＰ交換機１に、自身の動作モード「待機系」が記述された動作モード通知の定期的な送信を開始する（Ｓ４２６）。
【００８７】
これにより、交換機ＩＤ「００２」のＩＰ交換機１は、自ＩＰ交換機１よりも上位の優先順位を持つ交換機ＩＤ「００１」のＩＰ交換機１の稼動を検出し（Ｓ４２７）、自ＩＰ交換機１の動作モードを「運用系」から「待機系」に切り替える（Ｓ４２８）。
【００８８】
その後、交換機ＩＤ「００１」のＩＰ交換機１は、「運用系」で稼動中のＩＰ交換機１が存在しないことを検出する（Ｓ４２９）。そして、自ＩＰ交換機１が稼働中のＩＰ交換機１の中で最上位の優先順位を持つことを確認し、自ＩＰ交換機１の動作モードを「待機系」から「運用系」に切り替える（Ｓ４３０）。
【００８９】
この結果、交換機ＩＤ「００１」のＩＰ交換機１は、交換機ＩＤ「００２」のＩＰ交換機１に、自身の動作モード「運用系」が記述された動作モード通知を定期的に送信する。同様に、交換機ＩＤ「００２」のＩＰ交換機１は、交換機ＩＤ「００１」のＩＰ交換機１に、自身の動作モード「待機系」が記述された動作モード通知を定期的に送信する（Ｓ４３１）。
【００９０】
また、交換機ＩＤ「００１」のＩＰ交換機１は、ＩＰ端末２から定期的に送られてくる稼動状態問合せに応答する（Ｓ４３２）。ＩＰ端末２は、この応答により、ログイン先のＩＰ交換機１（交換機ＩＤ「００２」）より上位の優先順位を持つログイン先候補である交換機ＩＤ「００１」のＩＰ交換機１が復旧したことを検出する（Ｓ４３３）。そして、ログイン先より上位の優先順位を持つログイン先候補のＩＰ交換機１（交換機ＩＤ「００１」）が復旧したことを示すメッセージを端末画面に表示する（Ｓ４３４）。
【００９１】
それから、ＩＰ端末２は、ログイン先のＩＰ交換機１（交換機ＩＤ「００２」）からログアウトし（Ｓ４３５）、交換機ＩＤ「００１」のＩＰ交換機１にログインする（Ｓ４３７）。これにより、ログイン先が交換機ＩＤ「００２」のＩＰ交換機１から交換機ＩＤ「００１」のＩＰ交換機１に変更される（Ｓ４３８）。
【００９２】
なお、ＩＰ端末２は、交換機ＩＤ「００２」のＩＰ交換機１からログアウトした後、交換機ＩＤ「００１」のＩＰ交換機１にログインするまでの間、ＩＰ電話交換サービスを受けられない旨のメッセージを端末画面に表示する（Ｓ４３６）。そして、交換機ＩＤ「００１」のＩＰ交換機１にログインしたならば、交換機ＩＤ「００１」のＩＰ交換機１にログインしていることを示すメッセージを表示する（Ｓ４３９）。
【００９３】
その後、交換機ＩＤ「００１」のＩＰ交換機１は、定期的に、自ＩＰ交換機１にログインしているＩＰ端末２にライフチェック通知を送信して、このＩＰ端末２からのライフチェック通知に対する応答を確認することにより、このＩＰ端末２のライフチェック処理を行う（Ｓ４４０）。
【００９４】
図１３は、図１に示すＩＰ電話システムを、比較的大規模な事業体に適用した場合の例を示している。この例では、本社、支社の各拠点にＩＰ端末２が配置され、これら全てのＩＰ端末２に対するＩＰ電話交換サービスを、２つのＩＰ交換機１（交換機ＩＤ「００１」、「００２」）で賄うと共に、これら２つのＩＰ交換機１（交換機ＩＤ「００１」、「００２」）の両方に障害が発生した場合に、本社に配置されているＩＰ端末２に対するＩＰ電話交換サービスを交換機ＩＤ「００３」のＩＰ交換機１で賄い、支社に配置されているＩＰ端末２に対するＩＰ電話交換サービスを交換機ＩＤ「００４」のＩＰ交換機１で賄う場合を示している。
【００９５】
図示するように、交換機ＩＤ「００１」のＩＰ交換機１は、優先順位「１」であり、交換機ＩＤ「００２」のＩＰ交換機１、交換機ＩＤ「００３」のＩＰ交換機１、および交換機ＩＤ「００４」のＩＰ交換機１の情報が、管理対象のＩＰ交換機１の情報として、管理対象記憶部１２２に登録されている。
【００９６】
また、交換機ＩＤ「００２」のＩＰ交換機１は、優先順位「２」であり、交換機ＩＤ「００１」のＩＰ交換機１、交換機ＩＤ「００３」のＩＰ交換機１、および交換機ＩＤ「００４」のＩＰ交換機１の情報が、管理対象のＩＰ交換機１の情報として、管理対象記憶部１２２に登録されている。
【００９７】
また、交換機ＩＤ「００３」のＩＰ交換機１は、優先順位「３」であり、交換機ＩＤ「００１」のＩＰ交換機１、および交換機ＩＤ「００２」のＩＰ交換機１の情報が、管理対象のＩＰ交換機１の情報として、管理対象記憶部１２２に登録されている。
【００９８】
また、交換機ＩＤ「００４」のＩＰ交換機１は、優先順位「３」であり、交換機ＩＤ「００１」のＩＰ交換機１、および交換機ＩＤ「００２」のＩＰ交換機１の情報が、管理対象のＩＰ交換機１の情報として、管理対象記憶部１２２に登録されている。
【００９９】
また、本社に配置されたＩＰ端末２には、交換機ＩＤ「００１」のＩＰ交換機１の情報、交換機ＩＤ「００２」のＩＰ交換機１の情報、および交換機ＩＤ「００３」のＩＰ交換機１の情報が、ログイン先候補のＩＰ交換機１の情報として、ログイン先候補記憶部２５１に登録されている。
【０１００】
また、支社に配置されたＩＰ端末２には、交換機ＩＤ「００１」のＩＰ交換機１の情報、交換機ＩＤ「００２」のＩＰ交換機１の情報、および交換機ＩＤ「００４」のＩＰ交換機１の情報が、ログイン先候補のＩＰ交換機１の情報として、ログイン先候補記憶部２５１に登録されている。
【０１０１】
図１４は、図１３に示す例において、交換機ＩＤ「００１」のＩＰ交換機１に障害が発生し、これにより、支社に設置されたＩＰ端末２のログイン先が交換機ＩＤ「００１」のＩＰ交換機１から交換機ＩＤ「００２」のＩＰ交換機１に変更される場合のシーケンスを示す図である。
【０１０２】
交換機ＩＤ「００１」のＩＰ交換機１が「運用系」で稼働中であり（Ｓ５０１）、交換機ＩＤ「００２」のＩＰ交換機１が「待機系」で稼働中であり（Ｓ５０２）、交換機ＩＤ「００４」のＩＰ交換機１が「待機系」で稼働中であり（Ｓ５０３）、支社に設置されたＩＰ端末２のログイン先が交換機ＩＤ「００１」のＩＰ交換機１であるとする（Ｓ５０４）。
【０１０３】
この場合、ＩＰ端末２（支社）は、端末画面（操作パネル部２２）に、交換機ＩＤ「００１」のＩＰ交換機１にログインしていることを示すメッセージを表示する（Ｓ５０５）。
【０１０４】
また、交換機ＩＤ「００１」のＩＰ交換機１は、交換機ＩＤ「００２」のＩＰ交換機１、交換機ＩＤ「００３」のＩＰ交換機１（不図示）、および交換機ＩＤ「００４」のＩＰ交換機１のそれぞれに、自身の動作モード「運用系」が記述された動作モード通知を定期的に送信する。また、交換機ＩＤ「００２」のＩＰ交換機１は、交換機ＩＤ「００１」のＩＰ交換機１、交換機ＩＤ「００３」のＩＰ交換機１（不図示）、および交換機ＩＤ「００４」のＩＰ交換機１のそれぞれに、自身の動作モード「待機系」が記述された動作モード通知を定期的に送信する。また、交換機ＩＤ「００４」のＩＰ交換機１は、交換機ＩＤ「００１」のＩＰ交換機１、および交換機ＩＤ「００２」のＩＰ交換機１のそれぞれに、自身の動作モード「待機系」が記述された動作モード通知を定期的に送信する（Ｓ５０６）。
【０１０５】
また、交換機ＩＤ「００１」のＩＰ交換機１は、定期的に、自ＩＰ交換機１にログインしているＩＰ端末２（支社）にライフチェック通知を送信して、このＩＰ端末２（支社）からのライフチェック通知に対する応答を確認することにより、このＩＰ端末２（支社）のライフチェック処理を行う（Ｓ５０７）。
【０１０６】
さて、交換機ＩＤ「００１」のＩＰ交換機１に障害が発生し、動作が停止したとする（Ｓ５０８）。この結果、交換機ＩＤ「００１」のＩＰ交換機１による動作モード通知が途絶え、交換機ＩＤ「００２」のＩＰ交換機１は、動作モード「運用系」のＩＰ交換機１の障害を検出する（Ｓ５０９）。そして、自ＩＰ交換機１の動作モードを「待機系」から「運用系」に切り替える（Ｓ５１０）。
【０１０７】
一方、交換機ＩＤ「００４」のＩＰ交換機１も、同様に、動作モード「運用系」のＩＰ交換機１の障害を検出する（Ｓ５１１）。しかし、自ＩＰ交換機１より上位の優先順位を持つ稼働中のＩＰ交換機１（交換機ＩＤ「００２」）が存在するため、動作モードの切り替えは行わない。したがって、交換機ＩＤ「００４」のＩＰ交換機１の動作モードは「待機系」のままである。
【０１０８】
また、交換機ＩＤ「００１」のＩＰ交換機１によるライフチェック通知が途絶え、ＩＰ端末２（支社）は、ログイン先のＩＰ交換機１の障害を検出する（Ｓ５１２）。そして、ＩＰ端末２の端末画面に、ログイン先のＩＰ交換機１に障害が発生していることを示すメッセージを表示する（Ｓ５１３）。
【０１０９】
次に、ＩＰ端末２は、ログイン先のＩＰ交換機１（交換機ＩＤ「００１」）からログアウトし（Ｓ５１４）、このＩＰ交換機１より一つ下位の優先順位を持つ交換機ＩＤ「００２」のＩＰ交換機１にログインする（Ｓ５１６）。これにより、ログイン先が交換機ＩＤ「００１」のＩＰ交換機１から交換機ＩＤ「００２」のＩＰ交換機１に変更される（Ｓ５１７）。
【０１１０】
なお、ＩＰ端末２（支社）は、交換機ＩＤ「００１」のＩＰ交換機１からログアウトした後、交換機ＩＤ「００２」のＩＰ交換機１にログインするまでの間、ＩＰ電話交換サービスを受けられない旨のメッセージを端末画面に表示する（Ｓ５１５）。そして、交換機ＩＤ「００２」のＩＰ交換機１にログインしたならば、交換機ＩＤ「００２」のＩＰ交換機１にログインしていることを示すメッセージを表示する（Ｓ５１８）。
【０１１１】
その後、交換機ＩＤ「００２」のＩＰ交換機１は、定期的に、自ＩＰ交換機１にログインしているＩＰ端末２（支社）にライフチェック通知を送信して、このＩＰ端末２からのライフチェック通知に対する応答を確認することにより、このＩＰ端末２（支社）のライフチェック処理を行う（Ｓ５１９）。
【０１１２】
また、ＩＰ端末２（支社）は、定期的に、交換機ＩＤ「００１」のＩＰ交換機１に稼動状態問合せを送信し、その応答を確認することで、交換機ＩＤ「００１」のＩＰ交換機１が復旧したか否かを調べる（Ｓ５２０）。
【０１１３】
図１５は、図１３に示す例において、交換機ＩＤ「００１」のＩＰ交換機１の停止中に、交換機ＩＤ「００２」のＩＰ交換機１に障害が発生し、これにより、支社に設置されたＩＰ端末２のログイン先が交換機ＩＤ「００２」のＩＰ交換機１から交換機ＩＤ「００４」のＩＰ交換機１に変更される場合のシーケンスを示す図である。
【０１１４】
交換機ＩＤ「００１」のＩＰ交換機１が「停止中」であり（Ｓ５３１）、交換機ＩＤ「００２」のＩＰ交換機１が「運用系」で稼働中であり（Ｓ５３２）、交換機ＩＤ「００４」のＩＰ交換機１が「待機系」で稼働中であり（Ｓ５３３）、支社に設置されたＩＰ端末２のログイン先が交換機ＩＤ「００２」のＩＰ交換機１であるとする（Ｓ５３４）。
【０１１５】
この場合、ＩＰ端末２（支社）は、端末画面（操作パネル部２２）に、交換機ＩＤ「００２」のＩＰ交換機１にログインしていることを示すメッセージを表示する（Ｓ５３５）。
【０１１６】
また、交換機ＩＤ「００２」のＩＰ交換機１は、交換機ＩＤ「００１」のＩＰ交換機１、交換機ＩＤ「００３」のＩＰ交換機１（不図示）、および交換機ＩＤ「００４」のＩＰ交換機１のそれぞれに、自身の動作モード「運用系」が記述された動作モード通知を定期的に送信する。また、交換機ＩＤ「００４」のＩＰ交換機１は、交換機ＩＤ「００１」のＩＰ交換機１、および交換機ＩＤ「００２」のＩＰ交換機１のそれぞれに、自身の動作モード「待機系」が記述された動作モード通知を定期的に送信する（Ｓ５３６）。但し、交換機ＩＤ「００１」のＩＰ交換機１は、停止中であるので、これらの動作モード通知を受信しない。
【０１１７】
また、交換機ＩＤ「００２」のＩＰ交換機１は、定期的に、自ＩＰ交換機１にログインしているＩＰ端末２（支社）にライフチェック通知を送信して、このＩＰ端末２（支社）からのライフチェック通知に対する応答を確認することにより、このＩＰ端末２（支社）のライフチェック処理を行う（Ｓ５３７）。
【０１１８】
さて、交換機ＩＤ「００２」のＩＰ交換機１に障害が発生し、動作が停止したとする（Ｓ５３８）。この結果、交換機ＩＤ「００２」のＩＰ交換機１による動作モード通知が途絶え、交換機ＩＤ「００４」のＩＰ交換機１は、動作モード「運用系」のＩＰ交換機１の障害を検出する（Ｓ５３９）。そして、自ＩＰ交換機１の動作モードを「待機系」から「運用系」に切り替える（Ｓ５４０）。
【０１１９】
また、交換機ＩＤ「００２」のＩＰ交換機１によるライフチェック通知が途絶え、ＩＰ端末２（支社）は、ログイン先のＩＰ交換機１の障害を検出する（Ｓ５４１）。そして、ＩＰ端末２の端末画面に、ログイン先のＩＰ交換機１に障害が発生していることを示すメッセージを表示する（Ｓ５４２）。
【０１２０】
次に、ＩＰ端末２は、ログイン先のＩＰ交換機１（交換機ＩＤ「００２」）からログアウトし（Ｓ５４３）、このＩＰ交換機１より一つ下位の優先順位を持つ交換機ＩＤ「００４」のＩＰ交換機１にログインする（Ｓ５４５）。これにより、ログイン先が交換機ＩＤ「００２」のＩＰ交換機１から交換機ＩＤ「００４」のＩＰ交換機１に変更される（Ｓ５４６）。
【０１２１】
なお、ＩＰ端末２（支社）は、交換機ＩＤ「００２」のＩＰ交換機１からログアウトした後、交換機ＩＤ「００４」のＩＰ交換機１にログインするまでの間、ＩＰ電話交換サービスを受けられない旨のメッセージを端末画面に表示する（Ｓ５４４）。そして、交換機ＩＤ「００４」のＩＰ交換機１にログインしたならば、交換機ＩＤ「００４」のＩＰ交換機１にログインしていることを示すメッセージを表示する（Ｓ５４７）。
【０１２２】
その後、交換機ＩＤ「００４」のＩＰ交換機１は、定期的に、自ＩＰ交換機１にログインしているＩＰ端末２（支社）にライフチェック通知を送信して、このＩＰ端末２からのライフチェック通知に対する応答を確認することにより、このＩＰ端末２（支社）のライフチェック処理を行う（Ｓ５４８）。
【０１２３】
また、ＩＰ端末２（支社）は、定期的に、交換機ＩＤ「００１」のＩＰ交換機１および交換機ＩＤ「００２」のＩＰ交換機１のそれぞれに、稼動状態問合せを送信し、その応答を確認することで、交換機ＩＤ「００１」のＩＰ交換機１および交換機ＩＤ「００２」のＩＰ交換機１が復旧したか否かを調べる（Ｓ５４９）。
【０１２４】
図１６は、図１３に示す例において、交換機ＩＤ「００１」のＩＰ交換機１および交換機ＩＤ「００２」のＩＰ交換機１が障害から復旧し、これにより、支社に設置されたＩＰ端末２のログイン先が交換機ＩＤ「００４」のＩＰ交換機１から交換機ＩＤ「００１」のＩＰ交換機１に変更される場合のシーケンスを示す図である。
【０１２５】
交換機ＩＤ「００１」のＩＰ交換機１が「停止中」であり（Ｓ５６１）、交換機ＩＤ「００２」のＩＰ交換機１が「停止中」であり（Ｓ５６２）、交換機ＩＤ「００４」のＩＰ交換機１が「運用系」で稼働中であり（Ｓ５６３）、ＩＰ端末２（支社）のログイン先が交換機ＩＤ「００４」のＩＰ交換機１であるとする（Ｓ５６４）。
【０１２６】
この場合、ＩＰ端末２（支社）は、端末画面（操作パネル部２２）に、交換機ＩＤ「００４」のＩＰ交換機１にログインしていることを示すメッセージを表示する（Ｓ５６５）。
【０１２７】
ここで、交換機ＩＤ「００１」のＩＰ交換機１および交換機ＩＤ「００２」の交換機１がそれぞれ障害から復旧し、「待機系」で動作を再開したとする（Ｓ５６６、Ｓ５６７）。交換機ＩＤ「００４」のＩＰ交換機１は、交換機ＩＤ「００１」のＩＰ交換機１および交換機ＩＤ「００２」のＩＰ交換機１に、自身の動作モード「運用系」が記述された動作モード通知を定期的に送信しているが、これに加えて交換機ＩＤ「００１」のＩＰ交換機１も、交換機ＩＤ「００２」のＩＰ交換機１、交換機ＩＤ「００３」のＩＰ交換機１（不図示）、および交換機ＩＤ「００４」のＩＰ交換機１のそれぞれに、自身の動作モード「待機系」が記述された動作モード通知の定期的な送信を開始する。同様に、交換機ＩＤ「００２」のＩＰ交換機１も、交換機ＩＤ「００１」のＩＰ交換機１、交換機ＩＤ「００３」のＩＰ交換機１（不図示）、および交換機ＩＤ「００４」のＩＰ交換機１のそれぞれに、自身の動作モード「待機系」が記述された動作モード通知の定期的な送信を開始する（Ｓ５６８）。
【０１２８】
これにより、交換機ＩＤ「００４」のＩＰ交換機１は、自ＩＰ交換機１よりも上位の優先順位を持つ交換機ＩＤ「００１」のＩＰ交換機１、および交換機ＩＤ「００２」のＩＰ交換機１の稼動を検出し（Ｓ５６９）、自ＩＰ交換機１の動作モードを「運用系」から「待機系」に切り替える（Ｓ５７０）。
【０１２９】
その後、交換機ＩＤ「００１」のＩＰ交換機１は、「運用系」で稼動中のＩＰ交換機１が存在しないことを検出する（Ｓ５７１）。そして、自ＩＰ交換機１が稼働中のＩＰ交換機１の中で最も上位の優先順位を持つことを確認し、自ＩＰ交換機１の動作モードを「待機系」から「運用系」に切り替える（Ｓ５７２）。同様に、交換機ＩＤ「００２」のＩＰ交換機１は、「運用系」で稼動中のＩＰ交換機１が存在しないことを検出する（Ｓ５７３）。しかし、自ＩＰ交換機１よりも上位の優先順位を持つＩＰ交換機１（交換機ＩＤ「００１」）が稼動中であるため、自ＩＰ交換機１の動作モードの切り替えは行わない。したがって、交換機ＩＤ「００２」のＩＰ交換機１の動作モードは、「待機系」のままである。
【０１３０】
この結果、交換機ＩＤ「００１」のＩＰ交換機１は、交換機ＩＤ「００２」のＩＰ交換機１、交換機ＩＤ「００３」のＩＰ交換機１（不図示）、および交換機ＩＤ「００４」のＩＰ交換機１のそれぞれに、自身の動作モード「運用系」が記述された動作モード通知を定期的に送信する。また、交換機ＩＤ「００２」のＩＰ交換機１は、交換機ＩＤ「００１」のＩＰ交換機１、交換機ＩＤ「００３」のＩＰ交換機１（不図示）、および交換機ＩＤ「００４」のＩＰ交換機１のそれぞれに、自身の動作モード「待機系」が記述された動作モード通知を定期的に送信する。また、交換機ＩＤ「００４」のＩＰ交換機１は、交換機ＩＤ「００１」のＩＰ交換機１、および交換機ＩＤ「００２」のＩＰ交換機１のそれぞれに、自身の動作モード「待機系」が記述された動作モード通知を定期的に送信する。
【０１３１】
また、交換機ＩＤ「００１」のＩＰ交換機１および交換機ＩＤ「００２」のＩＰ交換機１は、ＩＰ端末２（支社）から定期的に送られてくる稼動状態問合せに応答する（Ｓ５７４）。ＩＰ端末２（支社）は、この応答により、ログイン先のＩＰ交換機１（交換機ＩＤ「００４」）より上位の優先順位を持つログイン先候補である交換機ＩＤ「００１」のＩＰ交換機１および交換機ＩＤ「００２」のＩＰ交換機１が復旧したことを検出する（Ｓ５７５）。そして、ログイン先より上位の優先順位を持つＩＰ交換機１が復旧したことを示すメッセージを端末画面に表示する（Ｓ５７６）。
【０１３２】
それから、ＩＰ端末２（支社）は、ログイン先のＩＰ交換機１（交換機ＩＤ「００４」）からログアウトし（Ｓ５７７）、稼動中のログイン先候補の中で最上位の優先順位を持つ交換機ＩＤ「００１」のＩＰ交換機１にログインする（Ｓ５７９）。これにより、ログイン先が交換機ＩＤ「００４」のＩＰ交換機１から交換機ＩＤ「００１」のＩＰ交換機１に変更される（Ｓ５８０）。
【０１３３】
なお、ＩＰ端末２（支社）は、交換機ＩＤ「００４」のＩＰ交換機１からログアウトした後、交換機ＩＤ「００１」のＩＰ交換機１にログインするまでの間、ＩＰ電話交換サービスを受けられない旨のメッセージを端末画面に表示する（Ｓ５７８）。そして、交換機ＩＤ「００１」のＩＰ交換機１にログインしたならば、交換機ＩＤ「００１」のＩＰ交換機１にログインしていることを示すメッセージを表示する（Ｓ５８１）。
【０１３４】
その後、交換機ＩＤ「００１」のＩＰ交換機１は、定期的に、自ＩＰ交換機１にログインしているＩＰ端末２（支社）にライフチェック通知を送信して、このＩＰ端末２（支社）からのライフチェック通知に対する応答を確認することにより、このＩＰ端末２（支社）のライフチェック処理を行う（Ｓ５８２）。
【０１３５】
以上、本発明の実施の形態について説明した。
【０１３６】
本実施の形態では、複数のＩＰ交換機１のそれぞれに優先順位を付与している。そして、稼働中のＩＰ交換機１の中で最も高い優先順位を持つＩＰ交換機１が運用系で稼動し、その他のＩＰ交換機１が待機系で稼動するように、各ＩＰ交換機１が自律的に動作モードを切り替える。このため、ＩＰ交換機１を３重以上に多重化する場合でも、各ＩＰ交換機１の動作モードの切り替えを適切に行うことができる。
【０１３７】
また、本実施の形態では、ＩＰ端末２が、稼働中のＩＰ交換機１の中で最も高い優先順位を持つＩＰ交換機１にログインし、このＩＰ交換機１からＩＰ電話交換サービスを受ける。したがって、各ＩＰ交換機１の動作モードの切り替えに追従してＩＰ端末２のログイン先を変更できる。
【０１３８】
また、本実施の形態において、ＩＰ交換機１は、管理対象となる他のＩＰ交換機１の情報を予め登録しておき、管理対象各々の稼動状態および優先順位に基づいて自ＩＰ交換機１の動作モードを制御する。また、ＩＰ端末２は、ログイン先候補のＩＰ交換機１の情報を予め登録しておき、ログイン先候補各々の稼動状態および優先順位に基づいて自ＩＰ端末２のログイン先を制御する。このようにすることで、例えば、優先順位の上位ｎ番目までのＩＰ交換機１各々をシステム全体で１台ずつ配置する共に、優先順位の上位ｎ＋１番目以降のＩＰ交換機１各々をそれぞれの拠点に１台ずつ配置し、優先順位の上位ｎ番目までのＩＰ交換機１に、全てのＩＰ端末２に対してＩＰ電話交換サービスを提供させると共に、優先順位の上位ｎ＋１番目以降のＩＰ交換機１に、同じ拠点内のＩＰ端末２に対してＩＰ電話交換サービスを提供させる（図１３参照）といった、柔軟なバックアップシステムを構築することが可能となる。
【０１３９】
また、本実施の形態において、ＩＰ端末２は、ログイン先のＩＰ交換機１の情報、ログイン先のＩＰ交換機１の障害、およびログイン先変更時に生じるＩＰ電話交換サービスの使用不可等を、端末画面に表示している。したがって、ユーザの使い勝手が向上する。
【０１４０】
なお、本発明は上記の実施形態に限定されるものではなく、その要旨の範囲内で数々の変形が可能である。例えば、ＩＰ交換機１、ＩＰ端末２の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１４１】
なお、本発明は、大規模の事業体、例えばメガバンクなどのように、本社や本店があり、各地に支社や支社が存在し、それぞれにＩＰ端末を設置して営業活動を行うような場合において、各拠点に設置された全てのＩＰ端末をＷＡＮ（Ｗｉｄｅ  Ａｒｅａ  Ｎｅｔｗｏｒｋ）等の回線（ネットワーク）を介して多重化されたＩＰ交換機に収容し、各ＩＰ交換機でＩＰ端末２の呼制御を実行することにより、ＩＰ端末相互間の通話を管理するような場合に好適である。
【図面の簡単な説明】
【０１４２】
【図１】図１は、本発明の一実施の形態が適用されたＩＰ電話システムの概略図である。
【図２】図２は、ＩＰ交換機１の概略構成図である。
【図３】図３は、管理対象記憶部１２２の登録内容を模式的に表した図である。
【図４】図４は、ＩＰ交換機１の動作モード切替処理を説明するためのフロー図である。
【図５】図５は、図４に示す切替制御処理（Ｓ１１２）を説明するためのフロー図である。
【図６】図６は、ＩＰ端末２の概略構成図である。
【図７】図７は、ログイン先候補記憶部２５１の登録内容を模式的に表した図である。
【図８】図８は、ＩＰ交換機１のログイン先変更処理を説明するためのフロー図である。
【図９】図９は、図８に示すログイン制御処理（Ｓ２１０）を説明するためのフロー図である。
【図１０】図１０は、図１に示すＩＰ電話システムを、比較的小規模な事業体に適用した場合の例を示す図である。
【図１１】図１１は、図１０に示す例において、交換機ＩＤ「００１」のＩＰ交換機１に障害が発生し、これにより、ＩＰ端末２のログイン先が交換機ＩＤ「００１」のＩＰ交換機１から交換機ＩＤ「００２」のＩＰ交換機１に変更される場合のシーケンスを示す図である。
【図１２】図１２は、図１０に示す例において、交換機ＩＤ「００１」のＩＰ交換機１が障害から復旧し、これによりＩＰ端末２のログイン先が交換機ＩＤ「００２」のＩＰ交換機１から交換機ＩＤ「００１」のＩＰ交換機１に変更される場合のシーケンスを示す図である。
【図１３】図１３は、図１に示すＩＰ電話システムを、比較的大規模な事業体に適用した場合の例を示している。
【図１４】図１４は、図１３に示す例において、交換機ＩＤ「００１」のＩＰ交換機１に障害が発生し、これにより支社に設置されたＩＰ端末２のログイン先が交換機ＩＤ「００１」のＩＰ交換機１から交換機ＩＤ「００２」のＩＰ交換機１に変更される場合のシーケンスを示す図である。
【図１５】図１５は、図１３に示す例において、交換機ＩＤ「００１」のＩＰ交換機１の停止中に、交換機ＩＤ「００２」のＩＰ交換機１に障害が発生し、これにより、支社に設置されたＩＰ端末２のログイン先が交換機ＩＤ「００２」のＩＰ交換機１から、支社内の交換機ＩＤ「００４」のＩＰ交換機１に変更される場合のシーケンスを示す図である。
【図１６】図１６は、図１３に示す例において、交換機ＩＤ「００１」のＩＰ交換機１および交換機ＩＤ「００２」のＩＰ交換機１が障害から復旧し、これにより、支社に設置されたＩＰ端末２のログイン先が交換機ＩＤ「００４」のＩＰ交換機１から交換機ＩＤ「００１」のＩＰ交換機１に変更される場合のシーケンスを示す図である。
【符号の説明】
【０１４３】
１：ＩＰ交換機、２：ＩＰ端末、３：ＩＰネットワーク、１０：ＩＰネットワークＩＦ部、１１：通話路スイッチ部、１２：記憶部、１３：主制御部、２０：ＩＰネットワークＩＦ部、２１：呼制御部、２２：操作パネル部、２３：ハンドセット部、２４：音声処理部、２５：記憶部、２６：主制御部、１２１：局データ記憶部、１２２：管理対象記憶部、１３１：動作モード通知部、１３２：稼動状態判断部、１３３：運用系切替部、１３４：待機系切替部、１３５：問合せ応答部、１３６：ライフチェック処理部、２５１：ログイン先候補記憶部、２６１：障害検出部、２６２：復旧検出部、２６３：上位ログイン処理部、２６４：下位ログイン処理部、２６５：表示処理部
【図１】
2008236404.tif 000003
【図２】
2008236404.tif 000004
【図３】
2008236404.tif 000005
【図４】
2008236404.tif 000006
【図５】
2008236404.tif 000007
【図６】
2008236404.tif 000008
【図７】
2008236404.tif 000009
【図８】
2008236404.tif 000010
【図９】
2008236404.tif 000011
【図１０】
2008236404.tif 000012
【図１１】
2008236404.tif 000013
【図１２】
2008236404.tif 000014
【図１３】
2008236404.tif 000015
【図１４】
2008236404.tif 000016
【図１５】
2008236404.tif 000017
【図１６】
2008236404.tif 000018